(57)【特許請求の範囲】
【請求項１】
ケースのケース本体と、そのケース本体を塞ぐ蓋体との一方に取り付けられ、前記ケース本体と蓋体との他方に設けられた係合部と協働して前記蓋体を前記ケース本体に固定するケース用の蓋固定具であって、
前記ケース本体と前記蓋体との一方に取り付けられる取付部と、
前記係合部と解除可能に係合する被係合部と、
前記取付部と前記被係合部とを連結すると共に、前記被係合部を回動可能、かつ、取付部側へ摺動可能に支持する摺動連結部と、
前記被係合部を取付部側へ付勢する弾性体とを備え、
前記摺動連結部は、
前記取付部と前記被係合部とを連結すると共に前記被係合部を回動可能に支持する回動軸と、
前記取付部に設けられ、前記回動軸の軸心線と直交する直交方向へ前記回動軸を摺動可能に保持する摺動保持部とから構成され、
前記弾性体は、前記回動軸を介して前記被係合部を前記直交方向の取付部側へ付勢することを特徴とするケース用の蓋固定具。
【請求項２】
ケースのケース本体と、そのケース本体を塞ぐ蓋体との一方に取り付けられ、前記ケース本体と蓋体との他方に設けられた回動可能な被係合部と係合して前記蓋体をケース本体に固定するケース用の係合具であって、
前記ケース本体と前記蓋体との一方に取り付けられる取付部と、
前記被係合部の基部側の部位に当接し、前記被係合部の開放端側の部位に加えられる力をてこの原理で増大させて、前記被係合部が設けられた前記他方を一方側へ引き寄せる当接部と、
前記被係合部と解除可能に係合し、前記他方を一方側へ引き寄せた状態で前記被係合部を固定する係合部と、
前記係合部が前記被係合部と係合する係合位置と、その係合を解除する係合解除位置との間で前記係合部を回動可能に支持する回動軸と、
その回動軸を保持する回動軸保持部と、
前記係合解除位置の係合部を前記係合位置に復帰させる弾性体とを備え、
前記係合部には、前記被係合部との係合の際に前記被係合部が当接して、係合位置の前記係合部を係合解除位置まで回動させる傾斜面が形成されていることを特徴とするケース用の係合具。
【請求項３】
ケース本体に、ケース本体を塞ぐ蓋体が開閉自在に取り付けられたケースであって、
請求項１に記載のケース用の蓋固定具を備えていることを特徴とするケース。
【請求項４】
ケース本体に、ケース本体を塞ぐ蓋体が開閉自在に取り付けられたケースであって、
請求項２に記載のケース用の係合具を備えていることを特徴とするケース。
【発明の詳細な説明】
【０００１】
【発明の属する技術分野】
本発明は、ケース本体に、ケース本体を塞ぐ蓋体が開閉自在に取り付けられたケースに用いられるケース用の蓋固定具、係合具及びこれらを用いたケースに関する。
【０００２】
【従来の技術】
図１１は、特開平７−１３１１６３号公報に記載されているケースを示す斜視図である。図１２は、図１１に示すケースのヒンジ部の断面図である。このケースＡは、ケース本体Ａ１と蓋体Ａ２とを連結して蓋体Ａ２を開閉自在に支持する一対の蝶番Ｂ，Ｂと、蓋体Ａ２に設けられた係合部Ｃと協働して蓋体Ａ２を固定する一対の蓋固定具Ｄ，Ｄとを備えている。
【０００３】
各蝶番Ｂは、ケース本体Ａ１の第１保持部Ａ３に回動自在に保持されたロータリナットＢ１と、このロータリナットＢ１に螺合している蝶番ボルトＢ２とを備えている。各蓋固定具Ｄは、ケース本体Ａ１の第２保持部Ａ４に回動自在に保持されたロータリナットＤ１と、このロータリナットＤ１に螺合している固定ボルトＤ２とを備えている。
【０００４】
【発明が解決しようとする課題】
このケースＡでは、各蓋固定具Ｄの固定ボルトＤ２を蓋体Ａ２の係合部Ｃに係合させた状態で締め付けると共に、図１２（ｂ）に示すように各蝶番Ｂの蝶番ボルトＢ２を締め付けることにより、蓋体Ａ２によってケースＡを密閉することができる。しかし、ケースＡには、蓋体Ａ２によるケースＡの密閉に手間がかかるという問題点がある。また、密閉状態の蓋体Ａ２を開ける際には、各蓋固定具Ｄの固定ボルトＤ２を緩めると共に、各蝶番Ｂの蝶番ボルトＢ２も緩める必要がある。このため、ケースＡには、蓋体Ａ２の密閉状態からの開放にも手間がかかるという問題点もある。
【０００５】
そこで、本発明は、蓋体によるケースの密閉と、蓋体の密閉状態からの開放とを容易に行うことができるケース用の蓋固定具、係合具およびこれらを用いたケースを提供することを目的としている。
【０００６】
【課題を解決するための手段】
本発明のケース用の蝶番は、ケースのケース本体と、そのケース本体を塞ぐ蓋体とを連結して前記蓋体を開閉自在に支持するケース用の蝶番であって、前記蓋体に取り付けられる第１取付部と、前記ケース本体に取り付けられる第２取付部と、前記第１取付部と前記第２取付部とを連結すると共に、前記第１取付部を回動可能、かつ、第２取付部側へ摺動可能に支持する摺動連結部と、前記第１取付部を第２取付部側へ付勢する弾性体とを備えている。
【０００７】
この蝶番によれば、ケースの蓋体に第１取付部を取り付け、ケースのケース本体に第２取付部を取り付けることにより、摺動連結部によって第２取付部に連結されていると共に、回動可能、かつ、第２取付部側へ摺動可能に支持された第１取付部を介して蓋体は、第１取付部を第２取付部側へ付勢する弾性体によってケース本体に引き寄せられる。このため、蓋体を閉じる際には、ケースのケース本体に蓋体を蝶番の弾性体によって密着させることができ、蓋体を開く際には、蓋体の回動が弾性体によって助勢される。従って、蓋体によるケースの密閉と、蓋体の密閉状態からの開放とを容易に行うことができる。また、ケースに加えられる衝撃を蝶番の弾性体によって吸収し緩和することができるので、ケース及び蝶番の長寿命化を図ることもできる。
【０００８】
また、この蝶番によれば、前記摺動連結部は、第１取付部と第２取付部とを連結すると共に第１取付部を回動可能に支持する回動軸と、第２取付部に設けられ、回動軸の軸心線と直交する直交方向へ回動軸を摺動可能に保持する摺動保持部とから構成され、前記弾性体は、回動軸を介して第１取付部を前記直交方向の第２取付部側へ付勢する構成とすることにより、第２取付部を取り付けたケース本体に対し、第１取付部を取り付けた蓋体を、弾性体によって比較的広範囲に比較的均等な圧力で密着させることができる。従って、蓋体によるケースの密閉度を向上させることもできる。
【０００９】
なお、この蝶番においては、弾性体はコイルスプリング等のスプリングであっても良く、合成ゴム等のゴムであっても良い。
【００１０】
本発明のケース用の蓋固定具は、ケースのケース本体と、そのケース本体を塞ぐ蓋体との一方に取り付けられ、ケース本体と蓋体との他方に設けられた係合部と協働して蓋体をケース本体に固定するケース用の蓋固定具であって、前記ケース本体と蓋体との一方に取り付けられる取付部と、前記係合部と解除可能に係合する被係合部と、前記取付部と被係合部とを連結すると共に、被係合部を回動可能、かつ、取付部側へ摺動可能に支持する摺動連結部と、前記被係合部を取付部側へ付勢する弾性体とを備えている。
【００１１】
この蓋固定具によれば、ケースのケース本体と蓋体との一方に取付部を取り付け、摺動連結部によって取付部に連結されていると共に、回動可能、かつ、取付部側へ摺動可能に支持された被係合部を、ケース本体と蓋体との他方に設けられた係合部に係合させることにより、被係合部を取付部側へ付勢する弾性体によって蓋体はケース本体に引き寄せられる。このため、被係合部と係合部とを係合させることによって蓋体でケースを密閉することができ、被係合部と係合部との係合を解除することによって蓋体を密閉状態から開放することもできる。従って、蓋体によるケースの密閉と、蓋体の密閉状態からの開放とを容易に行うことができる。また、ケースに加えられる衝撃を蓋固定具の弾性体によって吸収し緩和することができるので、ケース及び蓋固定具の長寿命化を図ることもできる。
【００１２】
また、この蓋固定具によれば、前記摺動連結部は、取付部と前記被係合部とを連結すると共に被係合部を回動可能に支持する回動軸と、取付部に設けられ、回動軸の軸心線と直交する直交方向へ回動軸を摺動可能に保持する摺動保持部とから構成され、前記弾性体は、回動軸を介して被係合部を前記直交方向の取付部側へ付勢する構成とすることにより、弾性体によって蓋体を、ケース本体に比較的広範囲に亘って比較的均等な圧力で密着させることができる。従って、蓋体によるケースの密閉度を向上させることもできる。
【００１３】
なお、この蓋固定具においては、弾性体はコイルスプリング等のスプリングであっても良く、合成ゴム等のゴムであっても良い。
【００１４】
本発明のケース用の係合具は、ケースのケース本体と、そのケース本体を塞ぐ蓋体との一方に取り付けられ、ケース本体と蓋体との他方に設けられた回動可能な被係合部と係合して前記蓋体をケース本体に固定するケース用の係合具であって、前記ケース本体と蓋体との一方に取り付けられる取付部と、前記被係合部の基部側の部位に当接し、被係合部の開放端側の部位に加えられる力をてこの原理で増大させて、被係合部が設けられた前記他方を一方側へ引き寄せる当接部と、前記被係合部と解除可能に係合し、前記他方を一方側へ引き寄せた状態で被係合部を固定する係合部とを備えている。
【００１５】
この係合具によれば、ケースのケース本体と蓋体との一方に取付部を取り付け、他方に設けられた回動可能な被係合部を係合部と係合させると、被係合部の基部側の部位が当接部に当接し、被係合部の開放端側の部位に加えられた力がてこの原理で増大されて、被係合部が設けられた前記他方は一方側へ引き寄せられ、係合具の係合部は、前記他方を一方側へ引き寄せた状態で被係合部を固定する。このため、係合具の係合部と被係合部とを係合させることによって蓋体でケースを密閉することができ、係合具の係合部と被係合部との係合を解除することによって蓋体を密閉状態から開放することもできる。従って、蓋体によるケースの密閉と、蓋体の密閉状態からの開放とを容易に行うことができる。しかも、被係合部の開放端側に加えられた力がてこの原理で増大されるので、蓋体によるケースの密閉を小さな力で行うこともできる。
【００１６】
また、この係合具は、前記係合部が前記被係合部と係合する係合位置と、その係合を解除する係合解除位置との間で係合部を回動可能に支持する回動軸と、その回動軸を保持する回動軸保持部と、前記係合解除位置の係合部を前記係合位置に復帰させる弾性体とを備え、係合部には、被係合部との係合の際に被係合部が当接して、係合位置の係合部を係合解除位置まで回動させる傾斜面が形成されている。
【００１７】
このため、この係合具によれば、他方に設けられた被係合部を回動させて係合部と係合させる際には、被係合部は、係合部の傾斜面に当接して、係合位置にある係合部を係合解除位置まで回動させる。係合解除位置まで回動した係合部は、弾性体によって係合解除位置から係合位置に復帰し、被係合部と係合する。従って、係合部と被係合部との係合をワンタッチで行うことができる。
【００１８】
なお、この係合具においては、弾性体は捻りコイルスプリング等のスプリングであっても良く、合成ゴム等のゴムであっても良い。
【００１９】
本発明のケースは、ケース本体に、ケース本体を塞ぐ蓋体が開閉自在に取り付けられたケースであって、本発明のケース用の蝶番と、本発明のケース用の蓋固定具と、本発明のケース用の係合具とのうちの少なくとも一つを備えている。このため、このケースによれば、蓋体によるケースの密閉と、蓋体の密閉状態からの開放とを容易に行うことができる。
【００２０】
【発明の実施の形態】
本発明の実施形態の一例を図面に基づいて以下に説明する。図１は、本発明の一実施形態に係るケースを示す正面からの斜視図であり、図２は背面からの斜視図である。なお、このケース１は、舶用の電気機器を収容して塵や水から電気機器を保護するためのものであり、高い防塵性能及び防水性能を有している。
【００２１】
図１に示すように、ケース１の正面側には、蓋体２に係合具１０が取り付けられ、ケース本体３に、係合具１０と協働して蓋体２を固定する蓋固定具３０が取り付けられている。図２に示すように、ケース１の背面側には、ケース本体３と蓋体２とを連結して蓋体２を開閉自在に支持する一対の蝶番５０，５０が取り付けられている。
【００２２】
図３は、蝶番を示す正面図である。図４は、図３に示す蝶番のＸ−Ｘ線断面図であり、図５はＹ−Ｙ線断面図である。図２〜図５に示すように、各蝶番５０は、蓋体２にビスで固定された第１取付部５１と、ケース本体３にビスで固定された第２取付部５２と、第１取付部５１と第２取付部５２とを連結し第１取付部５１を回動自在に支持する回動軸５３とを備えている。第１取付部５１の下端には、回動軸５３を保持する回動軸保持部５４が形成されている。第２取付部５２の上端左右両側には、回動軸５３の軸心線と直交する直交方向Ｐ１へ回動軸５３を摺動自在に保持する摺動保持部５５がそれぞれ形成されている。回動軸５３は、その軸径より大径に一端が形成され、抜け防止用の止め輪５６が他端に組み付けられている。
【００２３】
第２取付部５２と回動軸５３とは、回動軸５３を介して第１取付部５１を直交方向Ｐ１の第２取付部５２側へ付勢する一対の弾性体５７，５７によって連結されている。なお、本実施形態では、弾性体５７としてコイルスプリングを採用している。各弾性体５７は、回動軸５３に上端が組みつけられ、第２取付部５２の下端から起立する起立片５８に下端が組み付けられている。回動軸５３と一対の摺動保持部５５，５５とは、第１取付部５１と第２取付部５２とを連結すると共に、第１取付部５１を回動可能、かつ、第２取付部５２側へ摺動可能に支持する摺動連結部５９を構成している。
【００２４】
ケース本体３の開口部周縁には、蓋体２の裏面に密着してケース１をシールする合成ゴム製のシール材５が、ケース本体３の開口部全周に亘って取り付けられている。シール材５は、蓋体２の裏面との密着面積が小さくなるように、先端部が円弧状に成形されている。ケース本体３の開口部寄りの先端部分には、弾性を有する断面Ｕ字状の弾性部３ａがケース本体３全周に亘って形成されている。この弾性部３ａは、蓋体２によってケース１を密閉する際には、シール材５と蓋体２の裏面との密着を助勢している。
【００２５】
図６は、係合具に係合した状態の蓋固定具を示す正面図であり、図７はＺ−Ｚ線断面図である。図６，図７に示すように、蓋固定具３０は、ケース本体３にビスで固定された取付部３１と、係合具１０の係合部２０と係合する被係合部４０と、取付部３１と被係合部４０とを連結し被係合部４０を回動自在に支持する回動軸３２とを備えている。取付部３１の上端左右両側には、回動軸３２の軸心線と直交する直交方向Ｐ２へ回動軸３２を摺動自在に保持する摺動保持部３３がそれぞれ形成されている。
【００２６】
回動軸３２は、その軸径より大径に一端が形成され、抜け防止用の止め輪３４が他端に組み付けられている。取付部３１と回動軸３２とは、回動軸３２を直交方向Ｐ２の取付部３１側へ付勢する一対の弾性体３５，３５によって連結されている。なお、本実施形態では、弾性体３５としてコイルスプリングを採用している。各弾性体３５は、回動軸３２に上端が組みつけられ、取付部３１の下端から起立する起立片３６に下端が組み付けられている。回動軸３２と一対の摺動保持部３３，３３とは、取付部３１と被係合部４０とを連結すると共に、被係合部４０を回動可能、かつ、取付部３１側へ摺動可能に支持する摺動連結部３７を構成している。
【００２７】
被係合部４０は、略Ｌ字状の部材であり、回動軸３２を保持する回動軸保持部４３が下端に設けられた基部材４１と、基部材４１の上端から略直角に起立し、係合具１０の係合部２０と係合する係合穴４４を有する被係合部材４２とから構成されている。係合穴４４は、被係合部材４２の基部材４１寄りの部位に形成されている。被係合部材４２の左右両端部は、下方へ折り曲げられて被係合部材４２を補強している。
【００２８】
図８は、係合具を示す正面図である。図９は、係合具を一部破断させて示す右側面図である。図１０は、ケースの密閉前の状態を示す要部斜視図である。図８〜図１０に示すように、係合具１０は、蓋体２に取り付けられる取付部１１と、蓋固定具３０の被係合部４０と係合する係合部２０と、係合部２０を回動可能に支持する回動軸１２とを備えている。取付部１１は、蓋体２にビスで固定された底板１４と、底板１４の左右両端から起立する側板１５とから構成されている。
【００２９】
両側板１５，１５の中央部には、回動軸１２を挿通させた挿通穴である回動軸保持部がそれぞれ設けられている。この回動軸保持部は、回動軸１２を回動可能に保持している。回動軸１２は、その一端が前記挿通穴の穴径より大径に形成され、他端に抜け防止用の割ピン１９が組み付けられている。係合部２０には、略中央部に回動軸１２用の貫通穴が設けられ、この貫通穴より上方の部位に、被係合部材４２の係合穴４４周縁部と係合する係合凹部２１が形成されている。
【００３０】
係合部２０は、回動軸１２に挿入された一対のスリーブ１６，１６と捻りコイルスプリングである弾性体１７とに両側を規制されて、取付部１１の中央部に配置されている。弾性体１７は、その一端が取付部１１の底板１４に係止され、他端が係合部２０の組付穴２２に組み付けられている。係合部２０は、弾性体１７から付勢されて、被係合部材４２の係合穴４４周縁部と係合凹部２１とが係合する係合位置に復帰可能に保持されている。係合部２０のケース１正面側の上端部には、錠前を掛けて蓋体２の開放を防止するための錠前穴２４が設けられている。
【００３１】
係合部２０のケース１背面側の上端面は、係合部２０と被係合部材４２との係合の際に被係合部材４２の係合穴４４周縁部と当接し、弾性体１７の付勢力に対抗して係合部２０を、被係合部材４２との係合が解除される係合解除位置まで回動させる下降傾斜の傾斜面２３とされている。両側板１５，１５のケース１正面側の上端部にはそれぞれ、被係合部材４２の基部材４１側の部位に当接して、被係合部材４２の開放端４２ａ側の部位に加えられる力をてこの原理で増大させ、蓋固定具３０の弾性体３５の付勢力に対抗して回動軸３２を直交方向Ｐ２の被係合部４０側へ引き寄せる当接部１８が形成されている。
【００３２】
ここで、蓋体２を開閉する際の蝶番５０，蓋固定具３０及び係合具１０の作用について説明する。蓋体２を閉じる際には、蓋体２の正面側の端部を持って蓋体２を回動させ、図１０に示すようにケース本体３の開口部を蓋体２で塞ぐ。このとき、図４，図５に示すように、蓋体２は、その裏面がケース本体３の背面側のシール材５に当接し、その当接した部位を支点として各蝶番５０の回動軸５３を、弾性体５７の付勢力に対抗して直交方向Ｐ１の蓋体２側へ引き寄せる。
【００３３】
このため、各蝶番５０の弾性体５７は回動軸５３に対する付勢力を高められ、この付勢力を高められた弾性体５７によって、蓋体２の背面側はケース本体３のシール材５に確実に密着させられる。しかも、蓋体２の背面側は、弾性体５７によって、シール材５に略垂直に押し付けられ比較的広範囲に亘ってシール材５に密着させられる。
【００３４】
次に、蓋体２を片手で押さえてケース本体３の開口部を蓋体２で塞ぎ（図１０参照）、残る片手で蓋固定具３０の被係合部４０を回動させて被係合部４０の開放端４２ａ側の部位を押下し、蓋固定具３０の被係合部４０と係合具１０の係合部２０とを係合させる。このとき、被係合部４０は、係合穴４４の周縁部が係合部２０の傾斜面２３と当接し、係合位置にある係合部２０を係合解除位置まで回動させる。係合解除位置まで回動した係合部２０は、弾性体１７によって係合解除位置から係合位置に復帰し、被係合部４０と係合する。
【００３５】
また、被係合部４０は、被係合部材４２の基部材４１側の部位が係合具１０の両側板１５，１５の当接部１８に当接して、被係合部材４２の開放端４２ａ側に加えられた力をてこの原理で増大させ、この増大させた力により、蓋固定具３０の弾性体３５の付勢力に対抗して回動軸３２を直交方向Ｐ２の被係合部４０側へ引き寄せる。このため、図７に示すように、蓋固定具３０の弾性体３５は回動軸３２に対する付勢力が高められ、この付勢力が高められた弾性体３５によって、蓋体２の正面側はケース本体３のシール材５に確実に密着させられる。しかも、蓋体２の正面側は、弾性体３５によってシール材５に略垂直に押し付けられるので、比較的広範囲に亘って比較的均等な圧力でシール材５に密着させられる。また、ケース本体３の弾性部３ａもシール材５の蓋体２裏面への密着を助勢している。
【００３６】
蓋体２を開く際には、蓋固定具３０の被係合部４０の開放端４２ａ側の部位を片手で押下し、残る片手で係合具１０の係合部２０を係合解除位置まで回動させて、蓋固定具３０の被係合部４０と係合具１０の係合部２０との係合を解除した後、蓋体２を回動させて開く。このとき、両蝶番５０，５０の弾性体５７は蓋体２の回動を助勢する。
【００３７】
以上説明したように、本実施形態では、蓋固定具３０の被係合部４０と係合具１０の係合部２０とを係合させることにより、蝶番５０の弾性体５７によって蓋体２の背面側をケース本体３のシール材５に密着させ、蓋固定具３０の弾性体３５によって蓋体２の正面側をケース本体３のシール材５に密着させて、ケース１のケース本体３を蓋体２で密閉することができる。密閉状態の蓋体２を開放する際には、蓋固定具３０の被係合部４０と係合具１０の係合部２０との係合を解除して蓋体２を回動させれば良く、このとき、両蝶番５０，５０の弾性体５７は蓋体２の回動を助勢する。従って、蓋体２によるケース１の密閉と、蓋体２の密閉状態からの開放とを容易に行うことができる。
【００３８】
蓋固定具３０の被係合部４０と係合具１０の係合部２０とを係合させる際には、被係合部４０の開放端側４２ａに加えられた力がてこの原理で増大される。このため、蓋体２によるケース本体３の密閉を小さな力で行うことができ、この点でもケース１の密閉が容易になる。
【００３９】
また、蓋固定具３０の被係合部４０と係合具１０の係合部２０とを係合させる際には、被係合部４０は、係合穴４４の周縁部が係合部２０の傾斜面２３に当接して、係合位置にある係合部２０を係合解除位置まで回動させる。係合解除位置まで回動した係合部２０は、弾性体３５によって係合解除位置から係合位置に復帰し、被係合部４０と係合する。従って、蓋固定具３０の被係合部４０と係合具１０の係合部２０との係合をワンタッチで行うことができ、この点でもケース１の密閉が容易になる。
【００４０】
また、本実施形態では、各蝶番５０の弾性体５７は、各蝶番５０の回動軸５３及び第１取付部５１を介して蓋体２のケース１背面側を、直交方向Ｐ１のケース本体３側へ引き寄せてケース本体３のシール材５に比較的均等な圧力で比較的広範囲に密着させる。蓋固定具３０の弾性体３５は、蓋固定具３０の被係合部４０と係合具１０とを介して蓋体２のケース１正面側を、直交方向Ｐ２のケース本体３側へ引き寄せてケース本体３のシール材５に比較的均等な圧力で比較的広範囲に密着させる。従って、蓋体２によるケース１の密閉度を向上させることもできる。
【００４１】
また、本実施形態では、蓋体２によってケース本体３を密閉する際に、ケース本体３の弾性部３ａはシール材５と蓋体２の裏面との密着を助勢している。従って、この点でも、蓋体２によるケース１の密閉度を向上させることができる。更に、シール材５は、先端部が円弧状に成形されているので、蓋体２の裏面との密着面積が小さくなる。従って、単位面積当りの密着圧力が大きくなり、この点でも、蓋体２によるケース１の密閉度を向上させることができる。
【００４２】
また、本実施形態では、例えば船体が横波を受けて、ケース１に衝撃が加えられた場合であっても、この衝撃は、両蝶番５０，５０の弾性体５７と蓋固定具３０の弾性体３５とによって一部が吸収される。従って、ケース１に加えられる衝撃を緩和することができ、蝶番５０，蓋固定具３０，係合具１０及びケース１の長寿命化を図ることもできる。
【００４３】
なお、本実施形態では、蓋固定具３０がケース本体３に取り付けられ、係合具１０が蓋体２に取り付けられている。しかし、蓋固定具が蓋体に取り付けられ、係合具がケース本体に取り付けられていても良い。また、本実施形態では、ケース１の背面側に蝶番５０が２個取り付けられている。しかし、蝶番を更に多く取り付けることは勿論可能である。同様に、蓋固定具及び係合具もケースに複数個取り付けることができる。しかも、蓋固定具及び係合具は、ケースの正面側だけでなく、ケースの両側面側に取り付けることもできる。従って、ケースが大きな場合であっても、蓋体によるケースの密閉を確実に行うことができる。
【００４４】
本実施形態のケース１は、舶用の電気機器を収容するケースである。しかし、ケース１にケーブル配線用の穴をあけ、その穴に、例えば舶用電線貫通金物等の金具やパイプ材を水密に取り付け、その金具やパイプ材に電源ケーブルや制御ケーブル等のケーブルを、シール材によって水密に貫通させることにより、本実施形態のケース１を電気機器用の筐体として利用することは勿論可能である。また、本実施形態のケース１を、取付金具等によって船体の壁面に固定して利用することも勿論可能である。
【００４５】
なお、本実施形態のケース１は舶用の電気機器を収容するケースであるが、本発明のケースは、例えば食料品や薬品等を収容するケースであっても良く、収容物を限定しないものである。従って、本発明のケースは、その大きさも限定されないものである。
【００４６】
【発明の効果】
本発明のケース用の蝶番によれば、ケースの蓋体に第１取付部を取り付け、ケースのケース本体に第２取付部を取り付けることにより、摺動連結部によって第２取付部に連結されていると共に、回動可能、かつ、第２取付部側へ摺動可能に支持された第１取付部を介して蓋体は、第１取付部を第２取付部側へ付勢する弾性体によってケース本体に引き寄せられる。このため、蓋体を閉じる際には、ケースのケース本体に蓋体を蝶番の弾性体によって密着させることができ、蓋体を開く際には、蓋体の回動が弾性体によって助勢される。従って、蓋体によるケースの密閉と、蓋体の密閉状態からの開放とを容易に行うことができる。また、ケースに加えられる衝撃を蝶番の弾性体によって吸収し緩和することができるので、ケース及び蝶番の長寿命化を図ることもできる。
【００４７】
また、この蝶番によれば、前記摺動連結部は、第１取付部と第２取付部とを連結すると共に第１取付部を回動可能に支持する回動軸と、第２取付部に設けられ、回動軸の軸心線と直交する直交方向へ回動軸を摺動可能に保持する摺動保持部とから構成され、前記弾性体は、回動軸を介して第１取付部を前記直交方向の第２取付部側へ付勢する構成とすることにより、第２取付部を取り付けたケース本体に対し、第１取付部を取り付けた蓋体を、弾性体によって比較的広範囲に比較的均等な圧力で密着させることができる。従って、蓋体によるケースの密閉度を向上させることもできる。
【００４８】
本発明のケース用の蓋固定具によれば、ケースのケース本体と蓋体との一方に取付部を取り付け、摺動連結部によって取付部に連結されていると共に、回動可能、かつ、取付部側へ摺動可能に支持された被係合部を、ケース本体と蓋体との他方に設けられた係合部に係合させることにより、被係合部を取付部側へ付勢する弾性体によって蓋体はケース本体に引き寄せられる。このため、被係合部と係合部とを係合させることによって蓋体でケースを密閉することができ、被係合部と係合部との係合を解除することによって蓋体を密閉状態から開放することもできる。従って、蓋体によるケースの密閉と、蓋体の密閉状態からの開放とを容易に行うことができる。また、ケースに加えられる衝撃を蓋固定具の弾性体によって吸収し緩和することができるので、ケース及び蓋固定具の長寿命化を図ることもできる。
【００４９】
また、この蓋固定具によれば、前記摺動連結部は、取付部と前記被係合部とを連結すると共に被係合部を回動可能に支持する回動軸と、取付部に設けられ、回動軸の軸心線と直交する直交方向へ回動軸を摺動可能に保持する摺動保持部とから構成され、前記弾性体は、回動軸を介して被係合部を前記直交方向の取付部側へ付勢する構成とすることにより、弾性体によって蓋体を、ケース本体に比較的広範囲に亘って比較的均等な圧力で密着させることができる。従って、蓋体によるケースの密閉度を向上させることもできる。
【００５０】
本発明のケース用の係合具によれば、ケースのケース本体と蓋体との一方に取付部を取り付け、他方に設けられた回動可能な被係合部を係合部と係合させると、被係合部の基部側の部位が当接部に当接し、被係合部の開放端側の部位に加えられた力がてこの原理で増大されて、被係合部が設けられた前記他方は一方側へ引き寄せられ、係合具の係合部は、前記他方を一方側へ引き寄せた状態で被係合部を固定する。このため、係合具の係合部と被係合部とを係合させることによって蓋体でケースを密閉することができ、係合具の係合部と被係合部との係合を解除することによって蓋体を密閉状態から開放することもできる。従って、蓋体によるケースの密閉と、蓋体の密閉状態からの開放とを容易に行うことができる。しかも、被係合部の開放端側に加えられた力がてこの原理で増大されるので、蓋体によるケースの密閉を小さな力で行うこともできる。
【００５１】
また、この係合具によれば、他方に設けられた被係合部を回動させて係合部と係合させる際には、被係合部は、係合部の傾斜面に当接して、係合位置にある係合部を係合解除位置まで回動させる。係合解除位置まで回動した係合部は、弾性体によって係合解除位置から係合位置に復帰し、被係合部と係合する。従って、係合部と被係合部との係合をワンタッチで行うこともできる。
【００５２】
本発明のケースは、本発明のケース用の蝶番と、本発明のケース用の蓋固定具と、本発明のケース用の係合具とのうちの少なくとも一つを備えている。このため、このケースによれば、蓋体によるケースの密閉と、蓋体の密閉状態からの開放とを容易に行うことができる。
【図面の簡単な説明】
【図１】本発明の一実施形態に係るケースを示す正面からの斜視図である。
【図２】図１に示すケースの背面からの斜視図である。
【図３】図１に示すケースの蝶番の正面図である。
【図４】図３に示す蝶番のＸ−Ｘ線断面図である。
【図５】図３に示す蝶番のＹ−Ｙ線断面図である。
【図６】図１に示すケースの蓋固定具の正面図である。
【図７】図６に示す蓋固定具のＺ−Ｚ線断面図である。
【図８】図１に示すケースの係合具の正面図である
【図９】図８に示す係合具を一部破断させて示す右側面図である。
【図１０】図１に示すケースの密閉前の状態を示す要部斜視図である。
【図１１】従来品の一例を示す斜視図である。
【図１２】図１１に示す従来品のヒンジ部の断面図であり、（ａ）は密閉前、（ｂ）は密閉後を示している。
【符号の説明】
１  ケース
２  蓋体
３  ケース本体
３ａ  弾性部
５  シール材
１０  係合具
１１  取付部
１２  回動軸
１４  底板
１５  側板
１６  スリーブ
１７  弾性体
１８  当接部
１９  割ピン
２０  係合部
２１  係合凹部
２２  組付穴
２３  傾斜面
２４  錠前穴
３０  蓋固定具
３１  取付部
３２  回動軸
３３  摺動保持部
３４，５６  止め輪
３５  弾性体
３６  起立片
３７  摺動連結部
４０  被係合部
４１  基部材
４２  被係合部材
４２ａ  開放端
４３  回動軸保持部
４４  係合穴
５０  蝶番
５１  第１取付部
５２  第２取付部
５３  回動軸
５４  回動軸保持部
５５  摺動保持部
５６  起立片
５７  弾性体
５９  摺動連結部
Ｐ１，Ｐ２  直交方向
【図１】
0003633912.tif 000002
【図２】
0003633912.tif 000003
【図３】
0003633912.tif 000004
【図４】
0003633912.tif 000005
【図５】
0003633912.tif 000006
【図６】
0003633912.tif 000007
【図７】
0003633912.tif 000008
【図８】
0003633912.tif 000009
【図９】
0003633912.tif 000010
【図１０】
0003633912.tif 000011
【図１１】
0003633912.tif 000012
【図１２】
0003633912.tif 000013